(57)【要約】【目的】  リールに巻回された糸から落ちたチョーク粉末がケースの外部に漏れ出し、線引具を収納している道具箱や自動車等の車内等を汚している。  このことから、リールに巻回された糸から落ちたチョーク粉末がリールの収納室またはケースから漏れ出すことがない線引具を提供することを目的とする。【解決手段】  線引具に内装するリール２の側壁２ｄに永久磁石６を設けると共に、リール２を糸の出入を可能に密閉して配置し、また、リール２に回転力を伝達するハンドル８に接続する回転伝達板７に永久磁石６を設け、リール２と回転伝達板７を磁力によって非接触で連結する。【選択図】  図１
2005213019.tif 000002
【特許請求の範囲】
【請求項１】
ケース内に糸を巻回するリールが回転自在に設けられ、そのリールに巻回された糸がマーキング用の任意の着色部材を収容する収容部を通過してケース外部に案内されている線引具において、リールとそのリールに回転力を伝達する回転手段が磁力によって非接触で連結されていることを特徴とする線引具
【請求項２】
前記磁力が希土類を素材に形成された永久磁石によるものであることを特徴とする請求項１の線引具
【請求項３】
前記連結がリールに設けた永久磁石と回転手段に設けた永久磁石の互いの磁力吸引によるものであることを特徴とする請求項１の線引具
【請求項４】
前記リールおよび回転手段に設けられた永久磁石が複数設けられ、且つそれぞれの永久磁石がリールの回転する方向に連設されていることを特徴とする請求項３の線引具
【請求項５】
前記永久磁石がリールおよび回転手段の回転面の端部または端部近傍に設けられていることを特徴とする請求項３の線引具
【請求項６】
前記磁力による連結がリールに設けた永久磁石が回転手段に設けた磁着可能部材を磁力吸引することによるものであることを特徴とする請求項１の線引具
【請求項７】
前記磁力による連結が回転手段に設けた永久磁石がリールに設けた磁着可能部材を磁力吸引することによるものであることを特徴とする請求項１の線引具
【請求項８】
前記リールの回転を回転手段の回転より速く回転させるための増速手段が設けられていることを特徴とする請求項１の線引具
【請求項９】
前記増速手段がリール側に設けられ、且つ増速手段と回転手段が磁力によって非接触で連結されていることを特徴とする請求項８の線引具
【請求項１０】
前記増速手段が回転手段側に設けられ、且つ増速手段とリールが磁力によって非接触で連結されていることを特徴とする請求項８の線引具
【請求項１１】
前記増速手段が密閉されていることを特徴とする請求項８の線引具
【請求項１２】
前記回転手段が、少なくとも手動操作可能なハンドルから構成されていることを特徴とする請求項１の線引具
【請求項１３】
前記回転手段が、少なくとも駆動用電源とＯＮ／ＯＦＦ用スイッチを備えたモーターから構成されていることを特徴とする請求項１の線引具
【請求項１４】
前記回転手段がケースの外部に配置されていることを特徴とする請求項１の線引具
【請求項１５】
前記リールが隔離されていることを特徴とする請求項１の線引具
【請求項１６】
前記着色部材の収容部が糸を通過可能に密閉されていることを特徴とする請求項１の線引具
【請求項１７】
前記着色部材に粉末体を用いることを特徴とする請求項１の線引具
【発明の詳細な説明】
【技術分野】
【０００１】
本発明は、線引具に関するものである。
【背景技術】
【０００２】
従来、線引具の代表的なものとしては墨壷があり、これは建築の際に、木材等の材料の表面に長い直線を簡単に引く道具として用いられている。
そして、この墨壷と同じ方法によって直線を引くものとしてチョーク線引具があり、これは墨壷に用いられる墨汁やインクに代わり、取り扱いが容易なチョーク粉末を用いて直線を引くものである。チョーク線引具は、直線を引くための糸を巻回したリールがケース内に立設する軸に回転自在に支持されており、そのリールに巻回された糸がチョーク粉末を収容するチョーク室を通過してケースの外部に案内されている。
【０００３】
このチョーク線引具による線引作業（マーキング作業）は、線引範囲の一方の端にケースを置き、ケースの糸出入口に係止する糸に結ばれたフック（かるこ）を引き出すと、糸がチョーク室を通過する際に糸にチョーク粉末が付着されてケースから出てくる。
そして、フックを線引範囲の他方に置いて糸を張り、この糸を上方に持ち上げて放すことによって糸が被線引面に叩きつけられ、糸に付着しているチョーク粉末がその被線引面に付着して直線を引くことができる。
【０００４】
この線引作業が終わると、ケースに備えるハンドルを糸の巻き取り方向に回転させることにより、引き出されている糸がケース内のリールに巻き取られる。
リールとハンドルは回転を伝達する軸を介して接続されている。普通、リールはケース内に配置され、また、ハンドルはケースの外部に配置される。そして、リールがケース内の他の部材と隔離されることもある。すなわち、ケース内にリールを収納する室が設けられて、その室に配置されている。
【発明の開示】
【発明が解決しようとする課題】
【０００５】
リールとハンドルを接続する軸は、ケースあるいはリールの収納室に形成された通孔を通過してリールとハンドルに接続しており、特に、リールの収納室に形成する通孔には、巻き取った糸に付着したチョーク粉末がリール室内に落ちた際にそのチョーク粉末の漏れ出しを防止するためのＯリング等の漏洩防止部材が設けられている。また、リールを収納するための収容室のないものは、ケースの軸の通孔に漏洩防止部材が設けられている。
【０００６】
しかしながら、通孔に設けているＯリングは、軸の回転があまり重くならない程度にしているので、Ｏリングの劣化により軸とのクリアランスが広がるとそこからチョーク粉末が漏れ出してしまうのである。また、この漏れたチョーク粉末はケースに形成された軸の通孔からケースの外部に漏れ出すのである。ケースの
通孔にＯリング等を設けてもよいが、何れ劣化によってチョーク粉末は漏れ出してしまうのである。これにより、線引具を収納している道具箱や自動車等の車内等を汚しているのである。
【０００７】
従って、本発明は上述した問題点に鑑みてなされたものであり、リールに巻回された糸から落ちたチョーク粉末がリールの収納室またはケースから漏れ出すことがない線引具を提供することを目的とするものである。
【課題を解決するための手段】
【０００８】
本発明の要旨とするところは、ケース内に糸を巻回するリールが回転自在に設けられ、そのリールに巻回された糸がマーキング用の任意の着色部材を収容する収容部を通過してケース外部に案内されている線引具において、リールとそのリールに回転力を伝達する回転手段が磁力によって非接触で連結されていることを特徴とする線引具である。
【０００９】
本発明の線引具を詳しく説明すると、本線引具は、被線引き面にマーキング用の着色部材を付着させる糸を巻回したリールを回転させる際、ハンドル等の回転手段によって発生された回転力を磁力によって非接触でリールに伝達するようにした線引具である。本発明は、マーキング用の着色部材に粉末体を用いる線引具に特に適するが、勿論、液体を用いた線引具にも適応する。
また、リールはケース内に所望の方法によって隔離するのがよい。例えば、ケース内に隔壁を形成したり、また、ケースそのものを密閉させてもよい。
【００１０】
リールを回転自在に設けるには、具体的には、リールの回転芯に軸を設けてその軸をケースに形成した任意の部材、例えば、軸受け部材等で支持してもよい。あるいは、リールの回転芯に凹所や回転芯を取り巻くリブ等のガイドを形成し、ケースに形成した任意の部材、例えば、軸等をその凹所やガイド内に入れ込んで
支持してもよい。
軸の形状も特に限定するものではない。普通に用いられている円柱状してもよい。そして、軸を先端に向かって先細としてもよい。また、凹所やガイドの形状も特に限定するものではなく、好適な形状また形態とすればよい。
【００１１】
ケースとは、少なくとも線引き用の糸を巻回するリールやマーキング用の着色部材の収容部を収容する部材であり線引具の本体でもある。
そのケースは、普通樹脂素材や金属素材等からなる半ケースが合わされて、また、任意に分割して形成されたケースＡＳＳＹが組み合わされてなる。そして、ケース内に立設する軸にリールが軸支されている。
また、着色部材の収容部への着色部材の供給は、ケースを分解することなくケースに設けられている供給口を開けて供給する。あるいは、ケースの糸の出入口を形成する部位がキャップとなっており、そのキャップを開けて着色部材を供給するものもある。
【００１２】
リールも糸を巻回することができればよく、その形態を特に限定するものではない。また、糸も綿やナイロン等を用いればよい。マーキング用の着色部材においても、線引具の線引き対象によってチョーク粉末やインク等の着色部材が用いられている。そして、着色部材を収容する収容部も、用いる着色部材によってそれに対応する形態に形成されており、具体的には、チョーク粉末等の粉末体を用いるものは、粉末のケース内の飛散を防止可能な構造、例えば、糸が通過可能に密閉できるようになっており、また、インク等の液体を保水部材に染み込ませるものは開放された容器や糸が通過可能な密閉容器となっている。
【００１３】
そして、マーキング用の着色部材にチョーク粉末等の粉末体を用いるものは、粉末体の収容室の糸の出入口に、糸に余分に付いた粉末体を落とす適当な落とし手段が設けられている。
回転手段とは、すなわち、引き出された糸をリールに巻回するために、少なくともリールを糸の巻き取り方向に回転させるための手段であり、具体的には、ケースの外側に配置した直接手に握られる回転ハンドル、また、その回転ハンドルに接続する軸に取り付けられてリールの近傍に位置する任意の形状の回転体（プレート体）等で構成されているものである。勿論、リールを回転可能な構成であればどのような機構形態であってもよい。
【００１４】
回転手段とリールは磁力によって非接触で連結されており、その形態も回転が伝達可能であればどのようなものであってもよく、また、回転が伝達可能であれば磁力の発生手段、例えば、任意の永久磁石の部材への配置部位や取り付け形態等も特に限定するものではない。
具体的には、回転手段の一つであるハンドルのアームに永久磁石を設けると共に、リールのハンドル側の側面等に永久磁石を設けて、それぞれの永久磁石の磁力の作用範囲内にハンドルの永久磁石とリールの永久磁石が位置するようにリールとハンドルを配置してもよい。
【００１５】
また、ハンドルにプレート体を設けて、そのプレート体に永久磁石を設けるようにしてもよい。そして、リールとハンドルに複数の永久磁石を設けて、且つその永久磁石をリールの回転方向に円形状に連設してもよい。さらには、永久磁石をプレート体の端部または端部近傍に設けるようにしてもよい。
この磁力による連結は、リールに設けた永久磁石と回転手段（ハンドル）に設けた永久磁石の互いの磁力吸引による。
【００１６】
また、リールに設けた永久磁石が回転手段に設けた磁着可能部材を磁力吸引することによるものであったり、回転手段に設けた永久磁石がリールに設けた磁着可能部材を磁力吸引することによって磁力による連結を可能にしてもよい。リールまた回転手段の一部または全部を永久磁石が吸引可能な鉄等の磁着可能部材で形成してもよい。
永久磁石も特に限定するものではないが、具体的なものとしては、磁力が強いネオジウム磁性体や希土類を素材に形成された永久磁石を使用するのがよい。
【００１７】
リールの回転を回転手段の回転より速く回転させるための増速手段を設けてもよく、増速手段はリール側または回転手段側の何れであってもよい。
そして、増速手段をリール側に設けた場合、すなわち、増速手段をリールの構成の一部として設けた場合は、増速手段と回転手段を磁力によって非接触で連結するのがよい。また、回転手段側に設けた場合、すなわち、増速手段を回転手段の構成の一部として設けた場合は、増速手段とリールを磁力によって非接触で連結するのがよい。そして、増速手段を含めてリールまた回転手段は密閉する。また、増速手段を単独で設ける場合は増速手段を密閉する。増速手段もどのような構造のものでもよく、例えば、遊星歯車からなるものでもよい。
【００１８】
そして、回転手段のリールとの磁力による連結部位がケース内に配置されるものは、すなわち、リールとの磁力による連結部位をケース内に配置し、その連結部位からケースの外部に設けられたハンドルに支持体（軸）が延びている形態とするものは、リールを、糸の出入を可能にケース内の他の部材と隔離するように密閉状態で設けるのが望ましい。すなわち、リールをケース内に形成した密閉可能な部屋やケース内に設けた密閉可能な容器内に配置する。また、その部屋や容器には、ケース外部に続く閉塞可能なドレンを設けるのがよい。
【００１９】
また、ケース内のリールとケース外の回転手段が磁力の作用範囲内にある場合は、ケース体の外壁に回転手段、例えば、ハンドルを回転可能に支持するための軸を形成してもよい。この形態をとる場合は、ケースを密閉可能なものにすればよい。ケースには、ケース外部に続く閉塞可能なドレンを設けるのがよい。
そして、回転手段を、少なくとも駆動用電源とＯＮ／ＯＦＦ用スイッチを備えたモーターから構成してもよい。また、このモーターをケース内に配置する場合は、リールがケース内の密閉した空間（室や容器）に隔離されていなければ、少なくともモーターは隔離するのがよい。駆動用電源とＯＮ／ＯＦＦ用スイッチもケースに適宜に設ければよい。勿論、密閉してもよい。
【００２０】
永久磁石の形状も特に限定するものではない。また、永久磁石の取り付け形態等も特に限定するものではなく、例えば、永久磁石が設けられる部材に一部または全部を埋設させて設けてもよい。さらには、永久磁石をインサート成型によって設けてもよい。
上述の密閉可能になっている部位は、分解不可に密閉してもよいが、任意の固定部材、例えば、ネジ等を取り外すことによって分解できるようにしてもよい。また、密閉を可能にする方法は何でもよく、例えば、ゴムパッキン等を嵌合部に用いて組み込めばよい。そして、密閉するためにケースの内部または外部に形成する容器また壁は、磁力が通過可能な素材で形成しなければならない。勿論、ケースも磁力が通過できる素材の使用を考慮する。
【００２１】
従って、本発明の線引具は以上のように、リールとそのリールに回転力を伝達する回転手段が、磁力によって非接触状態に連結しているので、回転手段が回転すると、リールと回転手段との間の磁気吸引作用によって回転手段の回転にリールが追従して回転する。
そして、リールを糸の出入を可能にケース内の密閉可能な室に配置しているので、リールに巻回された糸から落ちた粉末体は、リール室内に留まりケース内に飛散することがない。また、ケースを密閉するものは、リールに巻回された糸から落ちた粉末体は、ケース内に留まりケースの外部に漏れ出すことがない。
そして、リール室あるいはケース内に溜まった粉末体は、ドレンによってケース外に排出することができる。
【発明の効果】
【００２２】
本発明の線引具は以上のように構成されているので、リールに巻回された糸から落ちた粉末体をリールの収容室またはケース内に留め置くことができる。従って、リールの収納室またはケース内に落ちた粉末体がケースの外部に漏れ出すことがないので、線引具を収納する道具箱や自動車の車内等が汚れることがない。
【００２３】
また、糸を巻き取っている際、糸が何らかのものに引っ掛り糸の巻き取りが急に止められた場合でも、リールと回転手段が磁力によって非接触で連結されているので、糸の引っ掛かりによってリールが急に停止しても、ハンドル等の回転手段は急に止められることがない。すなわち、ハンドルが回転し続けられても糸は強く引っ張られず、糸切れやリールまたハンドル等の回転手段の破損が防止される。さらには、リールが急に停止しても、この急停止による衝撃が手に加わり難くなる。
【発明を実施するための最良の形態】
【００２４】
本発明の線引具を以下図面に従って説明すると、図１は、本発明に係る線引具の断面図であり、１は線引具のケース、１aは螺合によって取り付けている出口キャップ、１ｂはケース１の持ち手、１ｃは隔壁、２はリール室２ｆに線引き用の糸３を巻回して隔壁１ｃによって密閉状態で配置されたリール、２ａはリール２の軸、２ｂは軸２ａの軸端である。３は線引き用の糸でその先端にリング３ａを備える。
【００２５】
４はマーキング用のチョーク粉末を収容するチョーク室、４ａはチョーク室４にチョーク粉末の投入口の蓋である。チョーク粉末は、糸３がチョーク室４を通過する際に糸３に付着する。５は清掃部で、糸３をリール２に巻き取る際にチョーク室４を通過する糸３に付着したチョーク粉末を落すためのチョーク清掃部である。
【００２６】
６は永久磁石、７はハンドル８に接続する回転伝達板、８はハンドル、８ａはハンドル８の軸、８ｂは軸８ａの軸端、８ｃはハンドル８を回転させる際のツマミである。
永久磁石６により、リール２とハンドル８に接続する回転伝達板７は、それぞれに設けた永久磁石６磁力によって非接触で接続される。
【００２７】
図２は、図１のリールと回転伝達板の形態を示す斜視図であり、２はリール、２ｂは軸２ａの軸端、２ｃは糸３を巻回するための巻胴、２ｄはリール２の側壁である。６は永久磁石、７はハンドル８に接続された回転伝達板、８はハンドル、８ａはハンドル８の軸、８ｂは軸８ａの軸端、８ｃはツマミである。
本図の永久磁石６はリール２の側壁２ｄおよび回転伝達板７の表面に、一面を臨ませて埋設しているものである。また、リール２の永久磁石６と回転伝達板７の永久磁石６が互いに引き合う方向に磁力が作用して連結するものである。永久磁石６をリールの回転方向に複数連設したものである。
【００２８】
図３は、他の形態のリールと回転伝達板の形態を示す斜視図であり、本図の形態は、ハンドル８に接続する回転伝達板７ａを磁着可能な金属部材から形成したもので、リール２の側壁２ｄに設けた永久磁石６が回転伝達板７ａを吸引する方向に磁力が作用して連結するものである。永久磁石６をリールの側壁２ｄのほぼ全部に設けたものである。
【００２９】
図４は、他の形態のリールと回転伝達板の形態を示す斜視図であり、本図の形態は、リール２の側壁２ｄに金属体２ｅを設けているもので、ハンドル８に接続する回転伝達板７ａに設けた永久磁石６がリール２を吸引する方向に磁力が作用して連結するものである。永久磁石６は回転伝達板７ａ面に取り付け、且つリール２の回転方向に複数連設したものである。
【００３０】
図５は、他の形態の線引具の断面図であり、本図は、回転伝達板７とハンドル８の間に増速装置を設けて、ハンドル８の回転速度より回転伝達板７の回転速度を速くしたものである。９が増速のための増速ギヤである。
【００３１】
図６は、他の形態の線引具の断面図であり、本図は、回転伝達板７を省いて、ハンドル８に永久磁石を設けたものである。また、リール２は、その凹所部２ｇをケース１に形成された突起（軸）に嵌めて回転自在に設けているものである。
そして、リール２は、ケース内で密閉状態になっているのではなく、ケース１が密閉されているものである。
リール２とハンドル８は、永久磁石６磁力によって非接触で接続されてハンドル８の回転に追従してリール２が回転する。
【００３２】
図７は、図６のリールと回転伝達板の形態を示す斜視図であり、２はリール、２ｇは凹所部、２ｃは糸３を巻回するための巻胴、２ｄはリール２の側壁である。６はリールの側壁２ｄのほぼ全部に設けた永久磁石、８はハンドル、８ａはハンドル８の軸、８ｃはツマミ、８ｄは軸８の軸受部である。
リール２の側壁２ｄに設けた永久磁石６は、側壁２ｄの表面に一面を臨ませて埋設しているもので、ハンドル８に設けた永久磁石６は、ハンドル８面に取り付けたものである。また、リール２の永久磁石６とハンドル８の永久磁石６が互いに引き合う方向に磁力が作用して連結するものである。
【００３３】
図８は、他の形態の線引具の断面図であり、本図は、ハンドル８に接続する回転伝達板７に永久磁石６を設けており、且つその回転伝達板７をケースの外部に配置したものである。図６と同様に、リール２はケース内で密閉状態になっているのではなく、ケース１が密閉されているものである。
リール２とハンドル８は、永久磁石６の磁力によって非接触で接続されて、ハンドル８の回転に追従してリール２が回転する。
【００３４】
図９は、モーター駆動の線引具の断面図であり、本図は、ハンドル８の代わりに、モータ１０に接続された回転伝達板７とリール２が永久磁石６の磁力によって非接触で接続されているものである。１１はモータ１０のＯＮ／ＯＦＦ用のスイッチ、１２はモータ１０を駆動させるための任意の電池が収容される電池ボックスである。
【図面の簡単な説明】
【００３５】
【図１】本発明に係る線引具の断面図
【図２】図１のリールと回転伝達板の形態を示す斜視図
【図３】他の形態のリールと回転伝達板の形態を示す斜視図
【図４】他の形態のリールと回転伝達板の形態を示す斜視図
【図５】他の形態の線引具の断面図
【図６】他の形態の線引具の断面図
【図７】図６のリールと回転伝達板の形態を示す斜視図
【図８】他の形態の線引具の断面図
【図９】モーター駆動の線引具の断面図
【符号の説明】
【００３６】
１−ケース，１a−出口キャップ，１ｂ−持ち手，１ｃ−隔壁，２−リール，２ａ−軸，２ｂ−軸端，２ｃ−巻胴，２ｄ−側壁，２ｅ−金属体，２ｆ−リール室，２ｇ−凹所部，３−糸，３a−リング，４−チョーク室，４a−蓋，５−チョーク清掃部，６−永久磁石，７−回転伝達板，７ａ−回転伝達板，８−ハンドル，８ａ−軸，８ｂ−軸端，８ｃ−ツマミ，８ｄ−軸受部，９−増速ギヤ，１０−モータ，１１−スイッチ，１２−電池ボックス
【図１】
2005213019.tif 000003
【図２】
2005213019.tif 000004
【図３】
2005213019.tif 000005
【図４】
2005213019.tif 000006
【図５】
2005213019.tif 000007
【図６】
2005213019.tif 000008
【図７】
2005213019.tif 000009
【図８】
2005213019.tif 000010
【図９】
2005213019.tif 000011